(57)【特許請求の範囲】
【請求項１】
柱型枠に取り付けられて、該柱型枠の周囲を締め付ける横端太材を支持する支持ブラケットにおいて、
前記柱型枠に取り付けられる固定部と、該固定部に回動自在に取り付けられた支持部とを有し、使用時には、該支持部が前記柱型枠と略垂直となるように突出され、不使用時には、該支持部が前記柱型枠に沿う位置まで回動されて収納されるように設定されており、前記固定部にはその上辺から前記横端太材の両端部の段差に相当する位置に切欠き部が形成されていることを特徴とする横端太材用支持ブラケット。
【請求項２】
前記支持部の先端部側には、上方に突出して、前記横端太材の側面部に係止する突部を形成したことを特徴とする請求項１記載の横端太材用支持ブラケット。
【請求項３】
上下対称形状に形成されたことを特徴とする請求項１又は２に記載の横端太材用支持ブラケット。
【発明の詳細な説明】
【０００１】
【発明の属する技術分野】
この発明は、柱型枠を周囲から緊締する横端太材を支持する支持ブラケットに関するものである。
【０００２】
【従来の技術】
従来のこの種のものとしては、実開平４ー１３２１４９号公報に記載されたようなものがある。これは、四角形の柱型枠に「支持ブラケット」としてのコーナー受金具が取り付けられ、このコーナー受金具の受板本体に、横端太材が支持されるようになっている。この横端太材は、柱型枠の周囲に４本配設され、これら横端太材の端部が互いに連結されることにより、四角形の枠状に形成されて、柱型枠を周囲から緊締するものである。
【０００３】
これら横端太材を連結する場合に、この横端太材を支持するものがないと、連結作業が大変であるため、コーナー受金具を予め柱型枠に取り付けておき、横端太材を連結する場合には、このコーナー受金具に横端太材を支持した状態で連結するようにしている。
【０００４】
【発明が解決しようとする課題】
しかしながら、このような従来のものにあっては、柱型枠を解体して段積みする場合に、このコ−ナー受金具が突出していると、邪魔になり段積みできないことから、解体時にはコーナー受金具を外す必要があり、着脱作業が非常に面倒であった。
【０００５】
そこで、この発明は、柱型枠を解体する場合でも、取り外す必要がない横端太材用支持ブラケットを提供することを課題としている。
【０００６】
【課題を解決するための手段】
かかる課題を解決するために、請求項１に記載の発明は、柱型枠に取り付けられて、該柱型枠の周囲を締め付ける横端太材を支持する支持ブラケットにおいて、前記柱型枠に取り付けられる固定部と、該固定部に回動自在に取り付けられた支持部とを有し、使用時には、該支持部が前記柱型枠と略垂直となるように突出され、不使用時には、該支持部が前記柱型枠に沿う位置まで回動されて収納されるように設定されており、前記固定部にはその上辺から前記横端太材の両端部の段差に相当する位置に切欠き部が形成されていることを特徴としている。
【０００７】
請求項２に記載した発明は、請求項１の構成に加え、前記支持部の先端部側には、上方に突出して、前記横端太材の側面部に係止する突部を形成したことを特徴とする。
【０００８】
請求項３に記載した発明は、請求項１又は２の構成に加え、上下対称形状に形成されたことを特徴とする。
【０００９】
【発明の実施の形態】
［発明の実施の形態１］
以下、この発明の実施の形態１について説明する。
【００１０】
図１乃至図６には、この発明の実施の形態１を示す。
【００１１】
まず構成について説明すると、図１中符号１１は支持ブラケットで、この支持ブラケット１１は、図２及び図３に示すように、柱型枠１２のコーナーに２つずつ取り付けられて、この柱型枠１２の周囲を締め付ける計４本の横端太材１３を支持するようになっている。
【００１２】
その柱型枠１２は、図２に示すように、計４枚のせき板１４と、これらせき板１４の外面に上下方向に配設された複数の桟木１５とから構成されている。
【００１３】
また、横端太材１３は、図４乃至図６等に示すように、両端部が開放された四角筒状の端太材本体１８を有し、この端太材本体１８の一端部側に、両側面部側が開放された連結体１７が固定され、この連結体１７の上下面部１７ａ，１７ｂには、それぞれ、相対向する位置に、複数の長さ調整孔１７ｃが形成されている。この端太材本体１８の他端部側には、この端部の開口を閉成するように蓋体１９が２対のボルト２０・ナット２１により着脱自在に取り付けられ、この蓋体１９に設けられた雌ねじ部１９ａに、調整ボルト２２が螺合されている。そして、この調整ボルト２２には、先端部２２ａ（端太材本体１８内側端部）にスライドチャンネル２３が回転自在に配設されている。このスライドチャンネル２３は、コ字状を呈し、アッパーパネル２３ａ及びロワーパネル２３ｂのそれぞれの対応した位置にピン挿入孔２３ｃが形成されている。さらに、前記端太材本体１８の端部には、そのピン挿入孔２３ｃと対応した位置に、微調整用長孔１８ａが、この本体１８の長手方向に沿って形成されている。
【００１４】
一方、支持ブラケット１１は、柱型枠１２の桟木１５に取り付けられる固定部２６と、この固定部２６に回動自在に取り付けられた支持部２７とを有している。
【００１５】
詳しくは、この固定部２６は、鉛直方向に沿う断面がコ字状を呈し、縦壁部２８に取付孔２８ａ及び複数の切欠き部２８ｂが形成され、その取付孔２８ａを介して釘により桟木１５に取り付けられるようになっている。この上側の一対の切欠き部２８ｂから固定部２６の上辺までの距離は図１の（ｂ）中、Ｈに設定されている。
【００１６】
また、前記支持部２７も断面コ字状を呈し、この支持部２７の上部水平面部３２が固定部２６の上部水平面部２９に、又、支持部２７の下部水平面部３３が固定部２６の下部水平面部３０に、それぞれボルト３５・ナット３６を介して回動自在に取り付けられている。そして、この支持部２７の先端側には、上下方向に突出する「突部」としてのピン部材３８が縦壁部３４に溶接により固定されている。このピン部材３８が横端太材１３の側面部に係止することにより、この横端太材１３の支持部２７上からの落下を防止するようにしている。さらに、その縦壁部３４の先端部には、図１の（ｂ）に示すように、装着孔３４ａが形成され、この装着孔３４ａに鎖３９の一端部が取り付けられ、この鎖３９の他端部に、前記長さ調整孔１７ｃ及びピン挿入孔２３ｃ等に挿入される挿入ピン４１が連結されている。
【００１７】
次に、作用について説明する。
【００１８】
まず、柱型枠１２が解体され、各せき板１４が地上に横に置かれた状態で、各せき板１４の桟木１５の所定位置（横端太材１３を配設する位置）に、支持ブラケット１１の固定部２６を釘等で固定する。
【００１９】
具体的には、図７に示すように、まず、各桟木１５の同じ位置に墨出しにより基準線４３を付け、この基準線４３に合わせて各支持ブラケット１１を固定する。すなわち、横端太材１３には、端太材本体１８と連結体１７との間に、図４の（ｂ）のように約１０ｍｍ程度の段差Ｈがあるため、この横端太材１３の両端部を、一対の支持ブラケット１１で支持する場合に、両支持ブラケット１１が同じ高さに固定されていると、この両支持ブラケット１１に横端太材１３を支持した場合には、この横端太材１３がその段差Ｈだけ傾いてしまう。従って、図７に示すように、図中左側の支持ブラケット１１（連結体１７側を支持する支持ブラケット１１）は、支持ブラケット１１の固定部２６の上辺が、前記基準線４３に合うように固定し、又、図中右側の支持ブラケット１１（端太材本体１８側を支持する支持ブラケット１１）は、支持ブラケット１１の固定部２６の切欠き部２８ｂが、前記基準線４３に合うように固定する。その切欠き部２８ｂは、図１の（ｂ）に示すように、固定部２６の上辺からの距離がＨに設定されているため、高さを変えて固定された両支持ブラケット１１に、横端太材１３を支持すると、この横端太材１３が傾くことなく水平に支持されることとなる。このように、支持ブラケット１１に切欠き部２８ｂを設けることにより、所定の位置に簡単に、しかも、正確に取り付けることができる。
【００２０】
そして、かかる各せき板１４を立てて、四角に組み合わせ、この支持ブラケット１１の支持部２７を回動させて、せき板１４と略垂直となるように突出させる。
【００２１】
この状態で、これら支持部２７上に横端太材１３を乗せて支持する。この場合には、横端太材１３の側面部がピン部材３８に係止することにより、横端太材１３の落下を防止できる。そして、各横端太材１３の連結体１７の側方開口から、他の横端太材１３の微調整用長孔１８ａが形成された端部側を挿入する。
【００２２】
その後、挿入ピン４１を、一方の横端太材１３の複数の長さ調整孔１７ｃの内、柱の太さに合う孔１７ｃ、並びに他の横端太材１３の微調整用長孔１８ａ及びスライドチャンネル２３のピン挿入孔２３ｃにそれぞれ貫通させる。この場合には、挿入ピン４１は、鎖３９にて支持ブラケット１１に連結されているため、この挿入ピン４１を部品管理する必要がないとと共に、挿入ピン４１を探したりする必要なく、その挿入ピン４１を直ぐに挿入できることから、作業性が良好である。
【００２３】
次いで、調整ボルト２２を回してスライドチャンネル２３をスライドさせると、ピン挿入孔２３ｃの位置が移動することから、挿入ピン４１が、ピン挿入孔２３ｃと長さ調整孔１７ｃとの周縁部に押し付けられて抜け止めされることにより、各横端太材１３が確実に連結されることとなる。
【００２４】
その後、この柱型枠１２にコンクリートを流し込んで硬化させた後、各横端太材１３を外して、柱型枠１２を解体、つまり、各せき板１４を分解する。この場合には、支持ブラケット１１の固定部２６は、隣接するせき板１４に跨っていないため、各せき板１４を分解する場合にも、外す必要がない。しかも、この支持ブラケット１１の不使用時には、支持部２７を回動させて、図２中二点鎖線に示すように、せき板１４の側面部に沿わせて収納しておけば、この支持ブラケット１１をせき板１４に取り付けた状態でも、せき板１４を段積みする場合に嵩張ることがない。従って、この支持ブラケット１１を外す手間、並びに再度使用する場合に取り付ける手間が削減される。
【００２５】
ところで、かかる支持ブラケット１１は、上下対称の形状を呈しているため、図２に示すように、柱型枠１２のコーナー部の両側に一つずつ取り付ける場合でも、１種類の支持ブラケット１１で対応できる。
【００２６】
また、横端太材１３は、調整ボルト２２や蓋体１９等が錆び付いた場合や損傷した場合等には、ボルト２０・ナット２１を外すことにより、それらを外して交換することができる。
【００２７】
なお、この実施の形態では、別体のピン部材３８が支持部２７に溶接等により固定されているが、このピン部材３８に相当する突部を、支持部２７にプレス成形により一体成形することもできる。一体成形すれば、部品点数及び取付工数が削減されることとなる。
【００２８】
［発明の実施の形態２］
図８には、この発明の実施の形態２を示す。
【００２９】
この実施の形態２の支持ブラケット５１は、柱型枠１２に取り付けられる固定部５２と、この固定部５２に回動自在に取り付けられた支持部５３とを有している。
【００３０】
詳しくは、その固定部５２は、平板状を呈し、釘止め用の取付孔５２ａが複数形成されると共に、端縁部側に上下方向に沿って軸受け部５２ｂが形成されている。
【００３１】
一方、支持部５３も平板状を呈し、前記軸受け部５２ｂに回転軸５３ａが上方から挿入されて回転自在に支持されている。また、この支持部５３の先端部側には、横端太材１３の側面部に係止する「突部」としての突片５３ｂが形成され、この突片５３ｂに装着孔５３ｃが形成され、この装着孔５３ｃに、挿入ピン４１が取り付けられた鎖３９が装着されるようになっている
かかる支持ブラケット５１も、使用時と不使用時とで、支持部５３の回動位置を変えることにより、不使用時には、せき板１４に沿わせて収納することにより、柱型枠１２を解体するときでも、この支持ブラケット５１を外す必要がない。
【００３２】
【発明の効果】
請求項１に記載の発明によれば、支持ブラケットは、柱型枠に取り付けられる固定部と、この固定部に回動自在に取り付けられた支持部とを有し、使用時には、支持部が柱型枠と略垂直となる位置に設定され、不使用時には、支持部が柱型枠に沿う位置に収納されるように設定することにより、柱型枠を解体した場合でも、この支持ブラケットを外さなくても邪魔にならないことから、着脱作業を削減できる。また、固定部にはその上辺から横端太材の両端部の段差に相当する位置に切欠き部が形成されているので、一対の支持ブラケットを横端太材の両端部の段差分だけ高さを変えて柱型枠に固定することで、横端太材が傾くことなく水平に支持されることとなる。
【００３３】
請求項２に記載の発明によれば、請求項１に記載した効果に加え、前記支持部の先端部側には、上方に突出して、前記横端太材の側面部に係止する突部を形成することにより、その支持部に横端太材を乗せた状態で、この横端太材の落下を防止できる。
【００３４】
請求項３に記載の発明によれば、請求項１又は２に記載した効果に加え、支持ブラケットは上下対称形状に形成されることにより、上下反対にすれば、１種類の支持ブラケットで、色々な位置に取り付けることができる、という実用上有益な効果を発揮する。
【図面の簡単な説明】
【図１】この発明の実施の形態１に係る横端太材用支持ブラケットを示す図で、（ａ）はこのブラケットの平面図、（ｂ）はこのブラケットの正面図である。
【図２】同実施の形態１に係る支持ブラケットの使用状態を示す平面図である。
【図３】同実施の形態１に係る図２のコーナー部分の拡大図である。
【図４】同実施の形態１に係る横端太材を示す図で、（ａ）は平面図、（ｂ）は正面図である。
【図５】同実施の形態１に係る横端太材の断面図で、（ａ）は図４（ａ）のＡ−Ａ線に沿う断面図、（ｂ）は図４（ｂ）のＢ−Ｂ線に沿う断面図である。
【図６】同実施の形態１に係る図３のＣ−Ｃ線に沿う断面図である。
【図７】同実施の形態１に係る支持ブラケットを取り付ける場合の斜視図である。
【図８】この発明の実施の形態２に係る横端太材用支持ブラケットを示す図で、（ａ）はこのブラケットの平面図、（ｂ）はこのブラケットの正面図である。
【符号の説明】
11,51 支持ブラケット
12  柱型枠
13  横端太材
26,52 固定部
27,53 支持部
38  ピン部材（突部）
53b 突片（突部）
【図１】
0003852493.tif 000002
【図２】
0003852493.tif 000003
【図３】
0003852493.tif 000004
【図４】
0003852493.tif 000005
【図５】
0003852493.tif 000006
【図６】
0003852493.tif 000007
【図７】
0003852493.tif 000008
【図８】
0003852493.tif 000009